(57)【特許請求の範囲】
【請求項１】
複数段回路で構成され、各段回路から駆動パルスに従ったパルス電圧が順次出力される信号伝送回路であって、前記各段回路は、
前記駆動パルスを前記パルス電圧としてソースに出力する出力トランジスタと、
前記出力トランジスタのゲートとソースとの間に接続されたブートストラップ用容量と、
少なくとも２段目以降には、前記ブートストラップ用容量を充電するために、ドレインが電源または接地線に接続され、ソースが前記出力トランジスタのゲートに接続され、ゲートが前段の出力トランジスタに接続された充電トランジスタと、
初段の場合は、前記ブートストラップ用容量を充電するために、ドレインが電源または接地線あるいはスタートパルスに接続され、ソースが前記出力トランジスタのゲートに接続され、ゲートに１つの容量または複数の容量からなる直列容量を介してスタートパルスが供給される充電トランジスタとを備えたことを特徴とする信号伝送回路。
【請求項２】
前記初段回路は、
ソースまたはドレインが前記１つの容量または前記直列容量の前記充電トランジスタ側の一端に接続され、ドレインまたはソースがそれぞれ電源または接地線に接続された第１の初期充電トランジスタと、
ソースまたはドレインが前記１つの容量または前記直列容量の他端に接続され、ドレインまたはソースがそれぞれ接地または電源線に接続された第２の初期充電トランジスタとを備えたことを特徴とする請求項１記載の信号伝送回路。
【請求項３】
前記第１および第２の初期充電トランジスタのゲートは共通接続されることを特徴とする請求項２記載の信号伝送回路。
【請求項４】
共通接続された、前記第１および第２の初期充電トランジスタのゲートに前記駆動パルスが印加されることを特徴とする請求項３記載の信号伝送回路。
【請求項５】
前記初段回路は、
ソースまたはドレインが前記直列容量中の容量の前記充電トランジスタ側の一端に接続され、ドレインまたはソースがそれぞれ電源または接地線に接続された第１の初期充電トランジスタと、
ソースまたはドレインが前記直列容量中の容量の他端に接続され、ドレインまたはソースがそれぞれ接地または電源線に接続された第２の初期充電トランジスタとを備えたことを特徴とする請求項１記載の信号伝送回路。
【請求項６】
前記第１および第２の初期充電トランジスタのゲートは共通接続され、かつ前記容量毎に入力パルスが設定されていることを特徴とする請求項５記載の信号伝送回路。
【請求項７】
前記入力パルスが前記充電トランジスタに近い方の容量に対応する前記第１および第２の初期充電トランジスタをオンおよびオフした後に、次の容量に対応する前記第１および第２の初期充電トランジスタをオンおよびオフすることを特徴とする請求項６記載の信号伝送回路。
【請求項８】
前記初段回路の充電トランジスタはＮ型ＭＯＳトランジスタであり、前記第１の初期充電トランジスタのドレインまたはソースに接続される電源線の電圧を、前記第２の初期充電トランジスタのドレインまたはソースに接続される電源線の電圧よりも高くしたことを特徴とする請求項２から７のいずれか一項記載の信号伝送回路。
【請求項９】
前記初段回路の充電トランジスタはＰ型ＭＯＳトランジスタであり、前記第１の初期充電トランジスタのドレインまたはソースに接続される電源線の電圧を、前記第２の初期充電トランジスタのドレインまたはソースに接続される電源線の電圧よりも低くしたことを特徴とする請求項２から７のいずれか一項記載の信号伝送回路。
【請求項１０】
前記第１および第２の初期充電トランジスタを共にオン状態にした後、共にオフ状態にし、その後前記スタートパルスが印加され、前記容量または前記直列容量を介して前記初段回路の充電トランジスタがオン状態になることを特徴とする請求項２から７のいずれか一項記載の信号伝送回路。
【請求項１１】
複数段回路で構成され、各段回路から駆動パルスに従った走査パルス電圧が順次出力される信号伝送回路を有する固体撮像装置であって、
前記信号伝送回路の各段回路は、
前記駆動パルスを前記走査パルス電圧としてソースに出力する出力トランジスタと、
前記出力トランジスタのゲートとソースとの間に接続されたブートストラップ用容量と、
少なくとも２段目以降には、前記ブートストラップ用容量を充電するために、ドレインが電源または接地線に接続され、ソースが前記出力トランジスタのゲートに接続され、ゲートが前段の出力トランジスタに接続された充電トランジスタと、
初段の場合は、前記ブートストラップ用容量を充電するために、ドレインが電源または接地線あるいはスタートパルスに接続され、ソースが前記出力トランジスタのゲートに接続され、ゲートに１つの容量または複数の容量からなる直列容量を介してスタートパルスが供給される充電トランジスタとを備えたことを特徴とする固体撮像装置。
【請求項１２】
請求項１１記載の固体撮像装置を搭載したことを特徴とするカメラ。
【請求項１３】
複数段回路で構成され、各段回路から駆動パルスに従った走査パルス電圧が順次出力される信号伝送回路を有する液晶表示装置であって、
前記信号伝送回路の各段回路は、
前記駆動パルスを前記走査パルス電圧としてソースに出力する出力トランジスタと、
前記出力トランジスタのゲートとソースとの間に接続されたブートストラップ用容量と、
少なくとも２段目以降には、前記ブートストラップ用容量を充電するために、ドレインが電源または接地線に接続され、ソースが前記出力トランジスタのゲートに接続され、ゲートが前段の出力トランジスタに接続された充電トランジスタと、
初段の場合は、前記ブートストラップ用容量を充電するために、ドレインが電源または接地線あるいはスタートパルスに接続され、ソースが前記出力トランジスタのゲートに接続され、ゲートに１つの容量または複数の容量からなる直列容量を介してスタートパルスが供給される充電トランジスタとを備えたことを特徴とする液晶表示装置。
【発明の詳細な説明】
【０００１】
【発明の属する技術分野】
本発明は、液晶デイスプレイ、ＭＯＳ型撮像装置を駆動するためのシフトレジスタに適用され、低電圧で駆動できる信号伝送回路に関する。
【０００２】
【従来の技術】
図３は、従来の信号伝送回路の一構成例を示す回路図である。なお、図３には、説明の便宜上、多数段構成のうち４段部分のみを示している。この信号伝送回路は、次段への出力トランジスタＴ１２、Ｔ２２、Ｔ３２、Ｔ４２と、ブートストラップ用容量Ｃ１、Ｃ２、Ｃ３、Ｃ４と、ブートストラップ用容量充電トランジスタＴ１１、Ｔ２１、Ｔ３１、Ｔ４１と、放電トランジスタＴ１３、Ｔ１４、Ｔ２３、Ｔ２４、Ｔ３３、Ｔ３４、Ｔ４３、Ｔ４４とで構成され、電源電圧ＶＤＤ、駆動パルスＶ１、Ｖ２、およびスタートパルスＶＳＴが供給される。
【０００３】
次に、このように構成された従来の信号伝送回路の動作について説明する。
【０００４】
スタートパルスＶＳＴが論理「Ｈｉｇｈ」レベルになると、初段のブートストラップ用容量充電トランジスタＴ１１がオンになり、ブートストラップ用容量Ｃ１が電源電圧ＶＤＤへと充電され、ブートストラップ用容量Ｃ１の充電電圧が出力トランジスタＴ１２の閾値電圧レベルを超えると、初段の出力トランジスタＴ１２がオンする。
【０００５】
その後、論理「Ｈｉｇｈ」レベルの駆動パルスＶ１が出力トランジスタＴ１２のドレインに入力すると、出力トランジスタＴ１２のゲートには、駆動パルスＶ１の電圧とブートストラップ用容量Ｃ１両端の電位差とが足されて印加されることとなり、出力トランジスタＴ１２のゲート電位が駆動パルスＶ１の電位よりも上昇すると、駆動パルスＶ１が初段の出力ノードＮ１２から出力パルスＯＵＴ１として利用される。
【０００６】
ここで、この信号伝送回路の利点は、ブートストラップ用容量Ｃ１のプラス側の端子に接続されたノードＮ１１の電圧が、２段目のブートストラップ用容量充電トランジスタＴ２１のゲートに印加されるため、トランジスタＴ２１のゲートに高い電圧を印加することができる点にある。これによって、２段目のブートストラップ用容量充電トランジスタＴ２１が、たとえエンハンスメント型のＮＭＯＳであっても、ブートストラップ用容量Ｃ２１を電源電圧ＶＤＤに確実に充電でき、出力トランジスタＴ２２をオンにすることができる。
【０００７】
その後、論理「Ｈｉｇｈ」レベルの駆動パルスＶ２が出力トランジスタＴ２２のドレインに入力すると、出力トランジスタＴ２２のゲートには、駆動パルスＶ２の電位とブートストラップ用容量Ｃ２両端の電位差とが足されて印加されることとなり、出力トランジスタＴ２２のゲート電位が駆動パルスＶ２の電位よりも上昇すると、駆動パルスＶ２が２段目の出力ノードＮ２２から出力パルスＯＵＴ２として利用される。
【０００８】
また同時に、ブートストラップ用容量Ｃ２のプラス側の端子に接続されたノードＮ２１の高い電圧が、３段目のブートストラップ用容量充電トランジスタＴ３１のゲートに印加され、トランジスタＴ３１がオンになり、ブートストラップ用容量Ｃ３が電源電圧ＶＤＤに確実に充電され、出力トランジスタＴ３２がオンする。
【０００９】
このような動作が繰り返されることで、信号伝送回路は、さらに出力パルスＯＵＴ３、ＯＵＴ４と順次出力することになる。
【００１０】
このようにして、全ての信号伝送段において、ブートストラップ用容量のプラス側の端子電圧が、次段のブートストラップ用容量充電トランジスタのゲートに加わるため、次段のブートストラップ用容量を確実に電源電圧ＶＤＤに充電できることとなり、電圧降下の無い低電圧の出力パルスを生成可能な信号伝送回路を実現できる。
【００１１】
また、ブートストラップ用容量に充電した電圧を放電する手段として、回路のトランジスタや電源を少なくするために、ブートストラップ用容量Ｃ１の場合は、放電トランジスタＴ１３のドレインをブートストラップ用容量Ｃ１のプラス側端子に接続し、放電トランジスタＴ１４のドレインをブートストラップ用容量Ｃ１のマイナス側端子に接続し、放電トランジスタＴ１３およびＴ１４のゲートに、２段目の出力トランジスタＴ２２のソースに接続された出力ノードＮ２２を接続する。これにより、２段目の出力ノードＮ２２に駆動パルスＶ２が出力された時に、ブートストラップ用容量Ｃ１が放電されることになる。
【００１２】
【発明が解決しようとする課題】
上記従来の信号伝送回路の問題点について、図４を参照して説明する。
【００１３】
図４は、ＮＭＯＳのみを用いた従来の信号伝送回路における各部のパルス電圧を示すタイミングチャートである。この回路では、駆動パルスＶ１、Ｖ２の電圧振幅、および電源電圧ＶＤＤが３Ｖで、スタートパルスＶＳＴの電圧振幅が５Ｖである。ここで、スタートパルスＶＳＴの電圧振幅のみ５Ｖとするのは、スタートパルスＶＳＴが入力される初段のブートストラップ用容量充電トランジスタＴ１１の場合のみ、前段からの高い電圧が供給できないため、スタートパルスＶＳＴのみ駆動パルスＶ１、Ｖ２の電圧振幅である３Ｖよりも高い５ＶでトランジスタＴ１１を駆動することにより、トランジスタＴ１１による電圧降下を防止し、ブートストラップ用容量Ｃ１を電源電圧ＶＤＤである３Ｖに充電可能にするためである。
【００１４】
図４において、時刻ｔ０において、スタートパルスＶＳＴの電圧が５Ｖに立ち上がり、エンハンスメント型のＮＭＯＳであるブートストラップ用容量充電トランジスタＴ１１の閾値電圧Ｖｔがあった場合でも、トランジスタＴ１１を介してブートストラップ用容量Ｃ１が電源電圧ＶＤＤである３Ｖに充電され、出力トランジスタＴ１２がオンする。
【００１５】
次に、時刻ｔ１において、駆動パルスＶ１が３Ｖに立ち上がり、出力トランジスタＴ１２のドレインに入力すると、出力トランジスタＴ１２のゲートには、駆動パルスＶ１の電圧３Ｖとブートストラップ用容量Ｃ１両端の電位差３Ｖとが足された高い電圧ＨＢ１電圧が印加されるめ、出力ノードＮ１２から３Ｖ振幅の駆動パルスＶ１が出力パルスＯＵＴ１として確実に出力されることになる。
【００１６】
また同時に、ブートストラップ用容量Ｃ１のプラス側の端子に接続されたノードＮ１１の高電圧ＨＢ１が、２段目のブートストラップ用容量充電トランジスタＴ２１のゲートに入力され、トランジスタＴ２１がオンして、ブートストラップ用容量Ｃ２が確実に電源電圧ＶＤＤである３Ｖに充電されることになる。
【００１７】
同様にして、時刻ｔ２、ｔ３、ｔ４の場合も、時刻ｔ１の動作を繰り返すこととなる。
【００１８】
しかしながら、上記従来の信号伝送回路では、駆動パルスＶ１、Ｖ２および電源電圧ＶＤＤは３Ｖにできるものの、スタートパルスＶＳＴのみ５Ｖ駆動となり、３Ｖと５Ｖという２種類の電源回路が必要となり、回路規模が大きくなってしまう、という問題があった。
【００１９】
本発明は、上記の問題点に鑑みてなされたものであり、その目的は、回路電源を低電圧化しても安定な動作が可能で、かつ駆動パルスとスタートパルスで電源回路を共通化し、回路規模を小さくできる信号伝送回路、およびかかる信号伝送回路が適用される固体撮像装置、かかる固体撮像装置を搭載したカメラ、および上記信号伝送回路が適用される液晶表示装置を提供することにある。
【００２０】
【課題を解決するための手段】
前記の目的を達成するため、本発明に係る信号伝送回路は、複数段回路で構成され、各段回路から駆動パルスに従ったパルス電圧が順次出力される信号伝送回路であって、各段回路は、駆動パルスを前記パルス電圧としてソースに出力する出力トランジスタと、出力トランジスタのゲートとソースとの間に接続されたブートストラップ用容量と、少なくとも２段目以降には、ブートストラップ用容量を充電するために、ドレインが電源または接地線に接続され、ソースが出力トランジスタのゲートに接続され、ゲートが前段の出力トランジスタに接続された充電トランジスタと、初段の場合は、ブートストラップ用容量を充電するために、ドレインが電源または接地線あるいはスタートパルスに接続され、ソースが出力トランジスタのゲートに接続され、ゲートに１つの容量または複数の容量からなる直列容量を介してスタートパルスが供給される充電トランジスタとを備えたことを特徴とする。
【００２１】
本発明に係る信号伝送回路において、初段回路は、ソースまたはドレインが１つの容量または直列容量の充電トランジスタ側の一端に接続され、ドレインまたはソースがそれぞれ電源または接地線に接続された第１の初期充電トランジスタと、ソースまたはドレインが１つの容量または直列容量の他端に接続され、ドレインまたはソースがそれぞれ接地または電源線に接続された第２の初期充電トランジスタとを備えることが好ましい。
【００２２】
この場合、第１および第２の初期充電トランジスタのゲートは共通接続され、そのゲートに駆動パルスが印加されることが好ましい。
【００２３】
または、本発明に係る信号伝送回路において、初段回路は、ソースまたはドレインが直列容量中の容量の充電トランジスタ側の一端に接続され、ドレインまたはソースがそれぞれ電源または接地線に接続された第１の初期充電トランジスタと、ソースまたはドレインが直列容量中の容量の他端に接続され、ドレインまたはソースがそれぞれ接地または電源線に接続された第２の初期充電トランジスタとを備えることが好ましい。
【００２４】
この場合、第１および第２の初期充電トランジスタのゲートは共通接続され、かつ容量毎に入力パルスが設定されていることが好ましく、入力パルスが充電トランジスタに近い方の容量に対応する第１および第２の初期充電トランジスタをオンおよびオフした後に、次の容量に対応する第１および第２の初期充電トランジスタをオンおよびオフすることが好ましい。
【００２５】
また、本発明に係る信号伝送回路において、初段回路の充電トランジスタはＮ型ＭＯＳトランジスタであり、第１の初期充電トランジスタのドレインまたはソースに接続される電源線の電圧を、第２の初期充電トランジスタのドレインまたはソースに接続される電源線の電圧よりも高くすることが好ましい。
【００２６】
または、初段回路の充電トランジスタはＰ型ＭＯＳトランジスタであり、前記第１の初期充電トランジスタのドレインまたはソースに接続される電源線の電圧を、前記第２の初期充電トランジスタのドレインまたはソースに接続される電源線の電圧よりも低くすることが好ましい。
【００２７】
また、本発明に係る信号伝送回路において、第１および第２の初期充電トランジスタを共にオン状態にした後、共にオフ状態にし、その後スタートパルスが印加され、容量または前記直列容量を介して初段回路の充電トランジスタがオン状態になることが好ましい。
【００２８】
上記の構成によれば、初段の充電トランジスタのゲートに一端が接続された容量または直列容量（入力用ブートストラップ容量）を、ゲートに駆動パルス（例えば、Ｖ２）が共通に印加されてオン状態になる第１および第２の初期充電トランジスタにより、入力用ブートストラップ容量の一端を電源電圧ＶＤＤ、その他端を接地電圧ＶＳＳにして充電した後、第１および第２の初期充電トランジスタをオフ状態にし、入力用ブートストラップ容量の他端にスタートパルスＶＳＴを印加することで、初段の充電トランジスタのゲート電圧を高くすることができる。これにより、初段の充電トランジスタのソースに接続されたブートストラップ用容量への充電電圧の降下を防ぐことができる。したがって、伝送段数が増えることにより、出力パルス電圧が次第に低下したり、何段か先で出力パルスが出なくなることを防止することができる。また同時に、駆動パルス用とスタートパルス用に共通の電源回路（３Ｖ系）を使用することができ、回路規模を小さくすることができる。
【００２９】
前記の目的を達成するため、本発明に係る固体撮像装置は、複数段回路で構成され、各段回路から駆動パルスに従った走査パルス電圧が順次出力される信号伝送回路を有する固体撮像装置であって、信号伝送回路の各段回路は、駆動パルスを走査パルス電圧としてソースに出力する出力トランジスタと、出力トランジスタのゲートとソースとの間に接続されたブートストラップ用容量と、少なくとも２段目以降には、ブートストラップ用容量を充電するために、ドレインが電源または接地線に接続され、ソースが出力トランジスタのゲートに接続され、ゲートが前段の出力トランジスタに接続された充電トランジスタと、初段の場合は、ブートストラップ用容量を充電するために、ドレインが電源または接地線あるいはスタートパルスに接続され、ソースが出力トランジスタのゲートに接続され、ゲートに１つの容量または複数の容量からなる直列容量を介してスタートパルスが供給される充電トランジスタとを備えたことを特徴とする。
【００３０】
前記の目的を達成するため、本発明に係るカメラは、本発明に係る固体撮像装置を搭載したことを特徴とする。
【００３１】
前記の目的を達成するため、本発明に係る液晶表示装置は、複数段回路で構成され、各段回路から駆動パルスに従った走査パルス電圧が順次出力される信号伝送回路を有する液晶表示装置であって、信号伝送回路の各段回路は、駆動パルスを走査パルス電圧としてソースに出力する出力トランジスタと、出力トランジスタのゲートとソースとの間に接続されたブートストラップ用容量と、少なくとも２段目以降には、ブートストラップ用容量を充電するために、ドレインが電源または接地線に接続され、ソースが出力トランジスタのゲートに接続され、ゲートが前段の出力トランジスタに接続された充電トランジスタと、初段の場合は、ブートストラップ用容量を充電するために、ドレインが電源または接地線あるいはスタートパルスに接続され、ソースが出力トランジスタのゲートに接続され、ゲートに１つの容量または複数の容量からなる直列容量を介してスタートパルスが供給される充電トランジスタとを備えたことを特徴とする。
【００３２】
上記の構成によれば、回路電源を低電圧化しても安定な動作を保証し、かつ回路規模を小さくすることができ、特に低消費電力化および小型化を図る必要のある携帯用機器に適用される、固体撮像装置、それを搭載したカメラ、および液晶表示装置において効果を発揮することができる。
【００３３】
【発明の実施の形態】
以下、本発明の好適な実施の形態について、図面を参照して説明する。
【００３４】
図１は、本発明の一実施形態に係る信号伝送回路の構成例を示す回路図である。図１において、本実施形態が図３に示す従来例と異なる点は、一端が初段のブートストラップ用容量充電トランジスタＴ１１のゲートに接続され、他端にスタートパルスＶＳＴが供給される入力用ブートストラップ容量Ｃ０と、ソースが入力用ブートストラップ容量Ｃ０の一端に接続され、ドレインに電源電圧ＶＤＤが供給され、ゲートに駆動パルスＶ２が印加される第１の初期充電トランジスタＴ０１と、ドレインが入力用ブートストラップ容量Ｃ０の他端に接続され、ソースに接地電圧（０Ｖ）が供給され、ゲートに駆動パルスＶ２が印加される第２の初期充電トランジスタＴ０２と、入力用ブートストラップ容量Ｃ０の電荷を放電するための放電トランジスタＴ０３、Ｔ０４とを設けた点にある。その他の構成については、図３の従来例と同じであり、図１において同一の符号を付して説明を省略する。
【００３５】
このように構成された信号伝送回路の動作について、図２を参照して説明する。
【００３６】
図２は、ＮＭＯＳのみを用いた図１の信号伝送回路における各部のパルス電圧を示すタイミングチャートである。この回路は３Ｖ系の回路であり、スタートパルスＶＳＴの電圧振幅、駆動パルスＶ１、Ｖ２の電圧振幅、および電源電圧ＶＤＤが３Ｖの場合を示す。
【００３７】
図２において、まず時刻ｔ０において、駆動パルスＶ２が３Ｖに立ち上がることで、第１の初期充電トランジスタＴ０１と第２の初期充電トランジスタＴ０２が共にオンとなり、入力用ブートストラップ容量Ｃ０が３Ｖに充電される。
【００３８】
次に、時刻ｔ１において、駆動パルスＶ２が０Ｖに立ち下がることで、第１の初期充電トランジスタＴ０１と第２の初期充電トランジスタＴ０２が共にオフとなる。
【００３９】
次に、時刻ｔ２において、スタートパルスＶＳＴが３Ｖに立ち上がると、初段のブートストラップ用容量充電トランジスタＴ１１のゲートに、スタートパルスＶＳＴの電圧と入力用ブートストラップ容量Ｃ０の充電電圧とが足されて印加されることで、トランジスタＴ１１のゲート電圧が電源電圧ＶＤＤである３Ｖ以上になり、トランジスタＴ１１を介して、ブートストラップ用容量Ｃ１を電源電圧ＶＤＤである３Ｖに充電することができる。したがって、スタートパルスＶＳＴの電圧振幅が駆動パルスＶ１、Ｖ２と同じ３Ｖでも駆動を行うことができる。
【００４０】
次に、時刻ｔ３において、駆動パルスＶ１が３Ｖに立ち上がり、出力トランジスタＴ１２のドレインに入力すると、出力トランジスタＴ１２のゲートには、駆動パルスＶ１の電圧３Ｖとブートストラップ用容量Ｃ１両端の電位差３Ｖとが足された高い電圧ＨＢ１が印加されるめ、出力ノードＮ１２から３Ｖ振幅の駆動パルスＶ１が出力パルスＯＵＴ１として確実に出力されることになる。
【００４１】
また同時に、ブートストラップ用容量Ｃ１のプラス側の端子に接続されたノードＮ１１の高電圧ＨＢ１が、２段目のブートストラップ用容量充電トランジスタＴ２１のゲートに入力され、トランジスタＴ２１がオンして、ブートストラップ用容量Ｃ２が確実に電源電圧ＶＤＤである３Ｖに充電されることになる。
【００４２】
同様にして、時刻ｔ４、ｔ５、ｔ６の場合も、時刻ｔ３の動作を繰り返すこととなる。
【００４３】
以上のように、本実施形態によれば、初段の充電トランジスタＴ１１のゲートとスタートパルスＶＳＴの配線との間に、入力用ブートストラップ容量Ｃ０を設け、第１の初期充電トランジスタＴ０１と第２の初期充電トランジスタＴ０２を介して入力用ブートストラップ容量Ｃ０を充電した後、スタートパルスＶＳＴを印加することで、スタートパルスＶＳＴの電圧振幅が駆動パルスＶ１、Ｖ２の電圧振幅と同じ３Ｖという低い電圧であっても、電圧降下の無い、３Ｖの低電圧の出力パルスを安定に生成可能な信号伝送回路を実現することができる。また同時に、スタートパルスＶＳＴと駆動パルスＶ１、Ｖ２用に３Ｖの共通の電源回路を使用することができるため、従来に比べて電源回路の数を削減して、回路規模を小さくすることが可能になる。
【００４４】
なお、本実施形態において、入力用ブートストラップ容量Ｃ０が１個の場合について例示および説明したが、複数個の入力用ブートストラップ容量を直列に接続し、スタートパルスＶＳＴの配線に近い入力用ブートストラップ容量から順番に充電した後、スタートパルスＶＳＴを印加した場合には、初段のブートストラップ用容量充電トランジスタＴ１１に入力するゲート電圧を大きくすることができる。
【００４５】
このように、複数個の入力用ブートストラップ容量を直列に接続した場合、各入力用ブートストラップ容量の両端に接続した初期充電トランジスタに供給する電源のうち、初段のブートストラップ用容量充電トランジスタＴ１１のゲートに近い側の初期充電トランジスタに供給する電源電圧を、遠い側の初期充電トランジスタに供給する電源電圧よりも高くすることで、最も高い電圧を初段のブートストラップ用容量充電トランジスタＴ１１のゲートに印加することができる。
【００４６】
また、本実施形態では、入力用ブートストラップ容量Ｃ０の両端に接続された初期充電トランジスタＴ０１、Ｔ０２のゲートに共通パルスを供給しているため、初期充電トランジスタ用のゲート回路が一つで良く、回路規模を小さくすることができ、また充電の高速化を図ることができる。
【００４７】
また、本実施形態では、入力用ブートストラップ容量Ｃ０の両端に接続された初期充電トランジスタのゲートに供給する共通パルスに、信号伝送回路の駆動パルスＶ２を用いることで、回路規模を小さくすることができ、また充電と駆動パルスとの位相合わせができ、高速駆動ができる。
【００４８】
また、本実施形態では、N型ＭＯＳトランジスタを用いた場合について例示および説明したが、全てP型ＭＯＳトランジスタを用いた場合でも、同様な効果を得ることができる。
【００４９】
【発明の効果】
以上説明したように、本発明によれば、回路電源を低電圧化しても安定な動作が可能で、かつ駆動パルスとスタートパルスで電源回路を共通化し、回路規模を小さくできる信号伝送回路を実現することが可能になる。
【００５０】
また、かかる信号伝送回路は、液晶デイスプレイ、ＭＯＳ型撮像装置の低電圧駆動実現の要請に沿いながら、信号伝送回路をシフトレジスタに使用して、低電圧化を実現とするものであって、産業上極めて有用である。
【図面の簡単な説明】
【図１】  本発明の一実施形態に係る信号伝送回路の構成例を示す回路図
【図２】  本発明の第１の実施形態に係る信号伝送回路における各部のパルス電圧を示すタイミングチャート
【図３】  従来の信号伝送回路の構成例を示す回路図
【図４】  従来の信号伝送回路における各部のパルス電圧を示すタイミングチャート
【符号の説明】
Ｃ０  入力用ブートストラップ容量（容量または直列容量）
Ｃ１、Ｃ２、Ｃ３、Ｃ４  ブートストラップ用容量
ＯＵＴ１、ＯＵＴ２、ＯＵＴ３、ＯＵＴ４  出力パルス（走査パルス）
Ｔ０１  第１の初期充電トランジスタ
Ｔ０２  第２の初期充電トランジスタ
Ｔ０３、Ｔ０４  入力用ブートストラップ容量Ｃ０の放電トランジスタ
Ｔ１１、Ｔ２１、Ｔ３１、Ｔ４１  ブートストラップ用容量充電トランジスタ（充電トランジスタ）
Ｔ１２、Ｔ２２、Ｔ３２、Ｔ４２  出力トランジスタ
Ｔ１３、Ｔ１４、Ｔ２３、Ｔ２４、Ｔ３３、Ｔ３４、Ｔ４３、Ｔ４４  放電トランジスタ
Ｖ１、Ｖ２  駆動パルス
ＶＤＤ  電源電圧
ＶＳＴ  スタートパルス
【図１】
0003658357.tif 000002
【図２】
0003658357.tif 000003
【図３】
0003658357.tif 000004
【図４】
0003658357.tif 000005